(57)【要約】      （修正有）【課題】コップに注がれた飲料が熱いものである場合と冷たいものである場合の両方に対応することができて、しかも製作コストが低く、使い捨てにすることが可能なコップ用スリーブを提供する。【解決手段】スリーブ本体をコップＣに巻回す方向へ湾曲させると、折れ曲り部１１ａが外側へ突出するように折れ曲り、コップの外周面とスリーブ本体との間に複数の隙間Ｓが形成される。隙間Ｓが形成されるので、スリーブ本体の内周面とコップの外周面との間に空気層ができ、コップに注がれた飲料が熱いものであっても飲料から生じる熱がスリーブ本体の外周面に伝わりにくく、コップを把持しやすくなる。【選択図】図３
0003207209.tif 000002
【実用新案登録請求の範囲】
【請求項１】
シート状のスリーブ本体と、前記スリーブ本体を湾曲させてコップに巻回して装着するため前記スリーブ本体の両端部近傍を連結して筒状とする連結手段とを有し、
前記スリーブ本体は吸水性のある材料によって構成されており、且つスリーブ本体をコップに巻回す方向へ湾曲させると外側へ突出するように折れ曲りコップの外周面と前記スリーブ本体との間に隙間を形成する折れ曲り予定部が互いに間隔を開けて複数設けられていることを特徴とするコップ用スリーブ。
【請求項２】
請求項１に記載したコップ用スリーブにおいて、折れ曲り予定部はスリーブ本体の長手方向に並んで配置されていることを特徴とするコップ用スリーブ。
【請求項３】
請求項１または２に記載したコップ用スリーブにおいて、折れ曲り予定部は互いに等間隔をあけて配置されていることを特徴とするコップ用スリーブ。
【請求項４】
請求項１から３のいずれかに記載したコップ用スリーブにおいて、スリーブ本体は一層の紙によって構成されていることを特徴とするコップ用スリーブ。
【請求項５】
請求項１から４のいずれかに記載したコップ用スリーブにおいて、折れ曲り予定部はスリーブ本体に圧力を加えることで形成された線状の圧縮部であることを特徴とするコップ用スリーブ。
【請求項６】
請求項１から５のいずれかに記載したコップ用スリーブにおいて、 スリーブ本体は、長手方向に連続して延びる凸円弧形状の上側縁と、前記上側縁より短くなるよう長手方向に連続して延びる凸円弧形状の下側縁と、前記上側縁及び前記下側縁とそれぞれ接続して短手方向に連続して延びる左側縁及び右側縁を有していることを特徴とするコップ用スリーブ。
【請求項７】
請求項６に記載したコップ用スリーブにおいて、折れ曲り予定部は傾斜して形成されていることを特徴とするコップ用スリーブ。
【請求項８】
請求項１から７のいずれかに記載したコップ用スリーブにおいて、連結手段はスリーブ本体の右端部から突出するように形成された差し込み片と、前記スリーブ本体の左端部に形成され前記差し込み片が差し込まれる差し込み孔と、前記差し込み片の基部に形成された係止孔と、前記差し込み孔へ突出し、左端部が前記係止孔の縁に連続し、且つ右端部が前記係止孔の縁と離間して、前記係止孔に差し込まれる係止片とによって構成されていることを特徴とするコップ用スリーブ。
【請求項９】
請求項１から８のいずれかに記載したコップ用スリーブにおいて、スリーブ本体は印刷が可能な紙などの材料によって構成されていることを特徴とするコップ用スリーブ。
【考案の詳細な説明】
【技術分野】
【０００１】
本考案は紙製等の飲料用コップの外周面に巻回して装着するコップ用スリーブに関するものである。
【背景技術】
【０００２】
この種のコップ用スリーブは、飲料が熱いものである場合は保温及びコップを把持し易くすることを目的とし、飲料が冷たいものである場合は保冷及び結露を防止することを目的としている。
上記二つの目的の両方に対応できるコップ用スリーブとして、特許文献１に示されたものがある。このコップ用スリーブは吸水性を有する布体からなる第１層、撥水性を有する布体からなる第２層、第１層と第２層との間に設けられた断熱層とによって構成されている。そして、このコップ用スリーブを熱いコーヒー等が注がれたコップに装着すれば断熱層により断熱されコップが把持し易くなる。また、第１層を内側にしてコップ用スリーブを冷たいジュース等の飲料が注がれたコップに装着すれば、コップの外周に結露等により水滴が付着しても、第１層により水滴が吸収される。
このように上記のコップ用スリーブはコップに注がれた飲料が熱いものである場合と冷たいものである場合の両方に対応することができる。
【先行技術文献】
【特許文献】
【０００３】
【特許文献１】特開２０１６−１１２０３４
【考案の概要】
【考案が解決しようとする課題】
【０００４】
しかしながら、上記従来のコップ用スリーブは第１層、第２層及び断熱層の三層構造を為しており、製作コストが高いという問題があり、特にコンビニエンスストアやファーストフード店などにおいて使い捨てにするものとしては用いることができない。
本考案は上記従来の問題点に着目して為されたものであり、コップ用スリーブはコップに注がれた飲料が熱いものである場合と冷たいものである場合の両方に対応することができて、しかも製作コストが低く、使い捨てにすることが可能なコップ用スリーブの提供を、その目的とする。
【課題を解決するための手段】
【０００５】
本考案は上記課題を解決するためになされたものであり、請求項１の考案は、シート状のスリーブ本体と、前記スリーブ本体を湾曲させてコップに巻回して装着するため前記スリーブ本体の両端部近傍を連結して筒状とする連結手段とを有し、前記スリーブ本体は吸水性のある材料によって構成されており、且つスリーブ本体をコップに巻回す方向へ湾曲させると外側へ突出するように折れ曲りコップの外周面と前記スリーブ本体との間に隙間を形成する折れ曲り予定部が互いに間隔を開けて複数設けられていることを特徴とするコップ用スリーブである。
【０００６】
請求項２の考案は、請求項１に記載したコップ用スリーブにおいて、折れ曲り予定部はスリーブ本体の長手方向に並んで配置されていることを特徴とするコップ用スリーブである。
【０００７】
請求項３の考案は、請求項１または２に記載したコップ用スリーブにおいて、折れ曲り予定部は互いに等間隔をあけて配置されていることを特徴とするコップ用スリーブである。
【０００８】
請求項４の考案は、請求項１から３のいずれかに記載したコップ用スリーブにおいて、スリーブ本体は一層の紙によって構成されていることを特徴とするコップ用スリーブである。
【０００９】
請求項５の考案は、請求項１から４のいずれかに記載したコップ用スリーブにおいて、折れ曲り予定部はスリーブ本体に圧力を加えることで形成された線状の圧縮部であることを特徴とするコップ用スリーブである。
【００１０】
請求項６の考案は、請求項１から５のいずれかに記載したコップ用スリーブにおいて、スリーブ本体は、長手方向に連続して延びる凸円弧形状の上側縁と、前記上側縁より短くなるよう長手方向に連続して延びる凸円弧形状の下側縁と、前記上側縁及び前記下側縁とそれぞれ接続して短手方向に連続して延びる左側縁及び右側縁を有していることを特徴とするコップ用スリーブである。
【００１１】
請求項７の考案は、請求項６に記載したコップ用スリーブにおいて、折れ曲り予定部は傾斜して形成されていることを特徴とするコップ用スリーブである。
【００１２】
請求項８の考案は、請求項１から７のいずれかに記載したコップ用スリーブにおいて、連結手段はスリーブ本体の右端部から突出するように形成された差し込み片と、前記スリーブ本体の左端部に形成され前記差し込み片が差し込まれる差し込み孔と、前記差し込み片の基部に形成された係止孔と、前記差し込み孔へ突出し、左端部が前記係止孔の縁に連続し、且つ右端部が前記係止孔の縁と離間して、前記係止孔に差し込まれる係止片とによって構成されていることを特徴とするコップ用スリーブである。
【００１３】
請求項９の考案は、請求項１から８のいずれかに記載したコップ用スリーブにおいて、スリーブ本体は印刷が可能な紙などの材料によって構成されていることを特徴とするコップ用スリーブである。
【考案の効果】
【００１４】
本考案のコップ用スリーブによれば、コップに注がれた飲料が熱いものである場合と冷たいものである場合の両方に対応することができて、しかも製作コストが低く、使い捨てにすることが可能である。
【図面の簡単な説明】
【００１５】
【図１】本考案の実施の形態に係るコップ用スリーブの平面図である。
【図２】図１のコップ用スリーブをコップに巻回した状態の斜視図である。
【図３】図２の平面図である。
【考案を実施するための形態】
【００１６】
本考案の実施の形態に係るコップ用スリーブ１を図面にしたがって説明する。
符号３はスリーブ本体を示し、このスリーブ本体３は吸水性があり、しかも印刷が可能な一層の紙によって構成されている。
スリーブ本体３はシート状で、長手方向に連続して延びる凸円弧形状の上側縁３ａと、上側縁３ａより短くなるよう長手方向に連続して延びる凸円弧形状の下側縁３ｂと、上側縁３ａ及び下側縁３ｂとそれぞれ接続して短手方向に連続して延びる左側縁３ｃ及び右側縁３ｄを有している。
【００１７】
スリーブ本体３には、その右端部から突出する長方形の差し込み片５が設けられている。この差し込み片５は右側縁３ｄの寸法の約半分の寸法に設定され、右側縁３ｄの上下方向の略中央に位置している。差し込み片５の基部には右側縁３ｄに沿う方向へ長い矩形の係止孔５ａが形成されている。
【００１８】
スリーブ本体３の左端部には差し込み孔７ａが形成されている。符号９ａは係止片を示し、この係止片９ａは差し込み孔７ａの中央部を閉鎖するように設けられている。係止片９ａの左端部は差し込み孔７ａの縁に連続し、且つ右端部が差し込み孔７ａの縁と離間している。係止片９ａは係止孔５ａに差し込むことができる寸法に設定されている。
スリーブ本体３には差し込み孔７ａ、係止片９ａと同一形状の差し込み孔７ｂ、係止片９ｂが、差し込み孔７ａ、係止片９ａより右側にずれた位置に形成されている。
これら差し込み片５、係止孔５ａ、差し込み孔７ａ、７ｂ及び係止片９ａ、９ｂによって連結手段が構成されている。
【００１９】
スリーブ本体３には複数の折れ曲り予定部１１が設けられている。折れ曲り予定部１１はスリーブ本体３にプレス加工によって圧力を加えることで形成された線状の圧縮部によって構成されており、その他の部分より折れ曲りやすくなっている。
折れ曲り予定部１１はスリーブ本体３の長手方向すなわち左右方向に並んで、且つ等間隔をあけて配置されている。また、折れ曲り予定部１１は左側縁３ｃと同じ角度で傾斜している。
【００２０】
スリーブ本体３には折れ曲り予定部１１とは別の折れ曲り予定部１３、１５が形成されている。折れ曲り予定部１３はスリーブ本体３の左端部からやや中央に寄った位置に形成され、この折れ曲り予定部１３を境に左側の領域には、折れ曲り予定部１１は形成されていない。また、折れ曲り予定部１５はスリーブ本体３の右端部からやや中央に寄った位置に形成され、この折れ曲り予定部１５を境に右側の領域には折れ曲り予定部１１は形成されていない。
なお、差し込み孔７ａの右側の縁は折れ曲り予定部１３の延長線上に位置しており、差し込み孔７ｂの右側の縁は折れ曲り予定部１１の延長線上に位置している。
【００２１】
次に、コップ用スリーブ１を下方へいくに従って徐々に縮径する紙製のコップＣに装着する方法を説明する。
スリーブ本体３を湾曲させコップＣに巻回し、差し込み片５が外側にくるようにして差し込み片５を差し込み孔７ａに差し込んでコップ用スリーブ１の両端部を連結して筒状にする。なお、係止片９ａの右端部は差し込み孔７ａの縁と離間しているので、この離間部分から差し込み片５を差し込み孔７ａへ挿入することができる。
前述のようにスリーブ本体３は、上側縁３ａ、下側縁３ｂが凸円弧形状で、下側縁３ｂが上側縁３ａより短くなっているので、スリーブ本体３の内周面がコップＣの外周面に当接するように巻回された状態で装着される。
【００２２】
差し込み片５を差し込み孔７ａに差し込むと、係止片９ａが係止孔５ａに入り込み、差し込み片５を差し込み孔７ａから抜こうとすると、係止孔５ａの左側の縁に係止片９ａの基部が係止されることで、差し込み片５が差し込み孔７ａから抜けるのが規制される。
なお、コップＣより径寸法が小さいものにコップ用スリーブ１を装着する場合には、差し込み片５を差し込み孔７ｂに差し込む。
【００２３】
スリーブ本体３をコップＣに巻回す方向へ湾曲させると、折れ曲り予定部１１が外側へ突出するように折れ曲り、コップＣの外周面とスリーブ本体３との間に複数の隙間Ｓが形成される（図３参照）。隙間Ｓは折れ曲り予定部１１が折れ曲ることによりできる折れ曲り部１１ａの周辺に形成される。そして、隙間Ｓどうしの間にはスリーブ本体３の内周面とコップＣの外周面とが当接する当接部Ｔが形成されることになる。すなわち、隙間Ｓと当接部Ｔがスリーブ本体３のほぼ全周に渡って交互に配置される状態となる。なお、折れ曲り予定部１１は上記のように傾斜して形成されているので、スリーブ本体３が下方へ向かって徐々に縮径する筒状になって、折れ曲り部１１ａが等間隔に配置されることになる。
【００２４】
隙間Ｓが形成されるので、スリーブ本体３の内周面とコップＣの外周面との間に空気層ができるので、コップＣに注がれた飲料が熱いものであっても飲料から生じる熱がスリーブ本体３の外周面に伝わりにくく、コップＣを把持しやすくなる。更に、コップ用スリーブ１がコップＣの外周面を覆うことで保温効果も発揮される。
【００２５】
また、スリーブ本体３は吸水性のある紙によって構成されているので、コップＣに注がれた飲料が冷たいものでコップＣの外周面に結露が生じてもスリーブ本体３が水滴を吸収してしまう。従って、コップＣを持つ手を濡らしてしまったり、コップＣから水滴が落ちてしまったりする不都合を防止することができる。更に、コップ用スリーブ１がコップＣの外周面を覆うことで保冷効果も発揮される。
このように、コップ用スリーブ１では、コップに注がれた飲料が熱いものである場合と冷たいものである場合の両方に対応することができる。しかもコップ用スリーブ１は一層の紙によって構成され、しかも一枚の紙を打ち抜くと同時に折れ曲り予定部１１を形成できることから、製作コストが極めて低く、コンビニエンスストアやファーストフード店などにおいて使い捨てにするものとして利用することが可能である。
また、前述のようにスリーブ本体３は印刷が可能な紙によって構成されているので、スリーブ本体３に企業名、企業広告を表す文章、図形等を記載することができる。従って、コップ用スリーブ１を広告宣伝媒体として利用することが可能である。
【００２６】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態では、コップ用スリーブを一層の紙によって構成したが、本考案はこれに限定されず、安価で折れ曲り予定部を形成することが可能な材料であれば紙に限られるものではなく、合成樹脂等によって構成してもよい。
また、折れ曲り予定部は線状の圧縮部によって構成するほか、スリーブ本体を切断しない浅い切り目によって構成してもよい。
【産業上の利用可能性】
【００２７】
本考案は紙製のコップ用スリーブの製造業において利用可能性を有する。
【符号の説明】
【００２８】
１…コップ用スリーブ          ３…スリーブ本体          ３ａ…上側縁
３ｂ…下側縁                  ３ｃ…左側縁              ３ｄ…右側縁
５…差し込み片                ５ａ…係止孔              ７ａ、７ｂ…差し込み孔
９ａ、９ｂ…係止片          １１…折れ曲り予定部      １１ａ…折れ曲り部
１３、１５…折れ曲り予定部
Ｃ…紙製のコップ              Ｓ…隙間                  Ｔ…当接部
【図１】
0003207209.tif 000003
【図２】
0003207209.tif 000004
【図３】
0003207209.tif 000005